(57)【要約】【課題】鉄筋コンクリート造建物の構造的要件を変更することなく、鋼製ランナーからの衝撃音の発生を抑制する。【解決手段】鋼製ランナーの制振工法は、コンクリート製の天井スラブ１２に固定され、２つの突出部１６と接続部１８とを備える、断面がコの字状を成す鋼製ランナー１４を対象とするものである。鋼製ランナー１４は、その延在方向に間隔を空けた複数の固定箇所で固定され、２つの突出部１６の間に複数のスタッド２２の上端が嵌合される。このような鋼製ランナー１４の、２つの突出部１６間の隙間の、少なくとも複数の固定箇所の各々の近傍に、少なくとも２つの突出部１６の双方に密着させる態様で、鋼製ランナー１４よりも熱膨張率が小さい材質の制振部材２４を設置する。これにより、２つの突出部１６の振動が拘束されるため、鋼製ランナー１４からの衝撃音の発生を抑制することが可能となる。【選択図】図１
2019190005.tif 000002
【特許請求の範囲】
【請求項１】
鉄筋コンクリート造建物において、間仕切壁の下地を構成する複数のスタッドの上端を受けるために、コンクリート製の天井スラブに固定される、延在方向と直交する断面がコの字状の鋼製ランナーの制振工法であって、
前記鋼製ランナーは、前記コの字状の２本の脚部に相当する２つの突出部と、該２つの突出部の間を接続する接続部とを備え、前記２つの突出部の先端を下方にする態様で、前記接続部が、前記鋼製ランナーの延在方向に間隔を空けた複数の固定箇所において、前記天井スラブに対して固定されると共に、前記２つの突出部の間に、前記鋼製ランナーの延在方向に間隔を空けて、前記複数のスタッドの上端が嵌合されるものであり、
前記鋼製ランナーの、前記２つの突出部間の隙間の、少なくとも前記複数の固定箇所の各々の近傍に、少なくとも前記２つの突出部の双方に密着させる態様で、前記鋼製ランナーよりも熱膨張率が小さい材料で形成した制振部材を設置することを特徴とする鋼製ランナーの制振工法。
【請求項２】
前記制振部材を、前記鋼製ランナーの、前記複数のスタッドの上端が嵌合された位置を除く、前記２つの突出部間の全ての隙間に設置することを特徴とする請求項１記載の鋼製ランナーの制振工法。
【請求項３】
前記制振部材を、前記鋼製ランナーの、前記２つの突出部と前記接続部とで囲まれる空間を充填するようにして設置することを特徴とする請求項１又は２記載の鋼製ランナーの制振工法。
【請求項４】
鉄筋コンクリート造建物において、間仕切壁の下地を構成する複数のスタッドの上端を受けるために、コンクリート製の天井スラブに固定される、延在方向と直交する断面がコの字状の鋼製ランナーの制振構造であって、
前記鋼製ランナーは、前記コの字状の２本の脚部に相当する２つの突出部と、該２つの突出部の間を接続する接続部とを備え、前記２つの突出部の先端を下方にする態様で、前記接続部が、前記鋼製ランナーの延在方向に間隔を空けた複数の固定箇所において、前記天井スラブに対して固定されると共に、前記２つの突出部の間に、前記鋼製ランナーの延在方向に間隔を空けて、前記複数のスタッドの上端が嵌合されており、
前記鋼製ランナーの、前記２つの突出部間の隙間の、少なくとも前記複数の固定箇所の各々の近傍に、少なくとも前記２つの突出部の双方に密着する態様で、前記鋼製ランナーよりも熱膨張率が小さい材料で形成された制振部材が設置されていることを特徴とする鋼製ランナーの制振構造。
【請求項５】
前記制振部材が、前記鋼製ランナーの、前記複数のスタッドの上端が嵌合された位置を除く、前記２つの突出部間の全ての隙間に設置されていることを特徴とする請求項４記載の鋼製ランナーの制振構造。
【請求項６】
前記制振部材が、前記鋼製ランナーの、前記２つの突出部と前記接続部とで囲まれる空間を充填するようにして設置されていることを特徴とする請求項４又は５記載の鋼製ランナーの制振構造。
【発明の詳細な説明】
【技術分野】
【０００１】
本発明は、鉄筋コンクリート造建物のコンクリート製の天井スラブに固定される鋼製ランナーの制振工法及び制振構造に関するものである。
【背景技術】
【０００２】
マンション等の集合住宅をはじめとする鉄筋コンクリート造建物では、例えば、延在方向と直交する断面がコの字状の上下一対の鋼製ランナーを、天井及び床の鉄筋コンクリートスラブの各々に固定し、天井側の鋼製ランナーと床側の鋼製ランナーとの間に、上下方向に延在する複数のスタッド（間柱）を立設することで、間仕切壁の鋼製下地を構築する。ここで、鉄筋コンクリート造建物の外部に面する鉄筋コンクリートスラブは、外部の熱的影響を受けて膨張伸縮を繰り返す傾向にあるため、通常、断熱材を使用して熱的影響を極小化する断熱工法が施工される。特に、鉄筋コンクリート造建物の最上階の天井スラブは、日光等からの熱的影響を受け易いため、天井スラブの上側に断熱材を配置する外断熱工法を採用することが多いが、建築基準法の斜線制限等により、天井スラブの一部の領域に、天井スラブの下側に断熱材を配置する内断熱工法を採用せざるを得ない場合がある。一方、最上階の居住空間を横断するように延在する逆梁が、その天端や側面を露出する態様で、鉄筋コンクリート造建物の屋上に突出し、このような逆梁と連続して最上階の天井スラブが設けられている場合もある。これらの場合には、内断熱工法の適用領域や逆梁からの熱伝導によって、外断熱工法の適用領域まで熱影響が及ぼされることがある。
【０００３】
上記のような熱影響が及ぼされると、天井スラブから天井スラブに固定された鋼製ランナーまで熱が伝搬し、熱膨張率の異なる鉄筋コンクリート製の天井スラブと鋼製ランナーとの双方が、膨張収縮することになる。ここで、鋼製ランナーは、その延在方向に間隔を空けた複数箇所において天井スラブに固定され、又、鉄筋コンクリート製の天井スラブよりも熱膨張率が高く、天井スラブよりも大きく膨張収縮しようとする。このため、鋼製ランナーの固定部にひずみエネルギーが溜まり、このひずみエネルギーが天井スラブに対する鋼製ランナーの固定力を上回ると、鋼製ランナーが僅かにズレることでひずみエネルギーが開放される。すると、鋼製ランナーから金属的な衝撃音が発生し、この衝撃音の発生により、鉄筋コンクリート造建物の居住環境が大きく損なわれることになってしまう。このような事象への対策として、例えば非特許文献１には、鉄筋コンクリート造建物の屋上に露出していた逆梁の周囲を、断熱材で覆うことによって、天井スラブや鋼製ランナーに伝搬する熱を低減し、衝撃音の発生を抑制する技術が開示されている。更に、天井スラブに接する鋼製ランナーが伸縮できるように留付けを緩める、天井スラブに対する鋼製ランナーの固定部に滑り材を介在させる、鋼製ランナーの長さを短くする、といった別の対策も想定される。
【先行技術文献】
【非特許文献】
【０００４】
【非特許文献１】宮川忠明、他２名、「集合住宅における不思議音の発生と対策」、安藤建設技術研究所報、２００８、Ｖｏｌ．１４、ｐ．１３−１９
【発明の概要】
【発明が解決しようとする課題】
【０００５】
しかしながら、上述した非特許文献１の対策は、鉄筋コンクリート造建物の屋上で露出した逆梁が、熱伝導の主要因である場合に限り、適用が可能なものであり、天井スラブの内断熱工法の適用領域から伝搬する熱が主要因である場合等は、適用が不可であった。又、上記の他の対策は、例えば鉄筋コンクリート造建物が分譲マンションの場合を想定すると、重要事項説明書の記載から逸脱することができない、すなわち、構造的要件を変更することができないという制限から、適用が現実的ではなかった。
本発明は上記課題に鑑みてなされたものであり、その目的とするところは、鉄筋コンクリート造建物の構造的要件を変更することなく、鋼製ランナーからの衝撃音の発生を抑制することにある。
【課題を解決するための手段】
【０００６】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）鉄筋コンクリート造建物において、間仕切壁の下地を構成する複数のスタッドの上端を受けるために、コンクリート製の天井スラブに固定される、延在方向と直交する断面がコの字状の鋼製ランナーの制振工法であって、前記鋼製ランナーは、前記コの字状の２本の脚部に相当する２つの突出部と、該２つの突出部の間を接続する接続部とを備え、前記２つの突出部の先端を下方にする態様で、前記接続部が、前記鋼製ランナーの延在方向に間隔を空けた複数の固定箇所において、前記天井スラブに対して固定されると共に、前記２つの突出部の間に、前記鋼製ランナーの延在方向に間隔を空けて、前記複数のスタッドの上端が嵌合されるものであり、前記鋼製ランナーの、前記２つの突出部間の隙間の、少なくとも前記複数の固定箇所の各々の近傍に、少なくとも前記２つの突出部の双方に密着させる態様で、前記鋼製ランナーよりも熱膨張率が小さい材料で形成した制振部材を設置する鋼製ランナーの制振工法（請求項１）。
【０００８】
本項に記載の鋼製ランナーの制振工法は、鉄筋コンクリート造建物において、間仕切壁の下地を構成する複数のスタッドを支える上下一対のランナーのうち、複数のスタッドの上端を受けるようにコンクリート製の天井スラブに固定される、上側の鋼製ランナーを対象とするものである。制振対象となる鋼製ランナーは、延在方向と直交する断面がコの字状を成し、このコの字状の２本の脚部に相当する２つの突出部と、これら２つの突出部の間を接続する接続部とを備えている。そして、２つの突出部の先端を下方にする態様で、接続部が天井スラブに対して固定される。すなわち、突出部の先端を下方にしたときの、接続部の上面が天井スラブの下面に接触するように固定される。
【０００９】
この際、接続部は、鋼製ランナーの延在方向に間隔を空けた複数の固定箇所において、例えば、コンクリート打込みピンやプラグ付きコンクリート用ビス等が、接続部の下面側から打込まれることによって固定される。更に、制振対象の鋼製ランナーは、２つの突出部の間に、鋼製ランナーの延在方向に間隔を空けて、複数のスタッドの上端が嵌合される。すなわち、複数のスタッドは、鋼製ランナーの延在方向に間隔を空けて設置され、各スタッドの上端が制振対象の鋼製ランナーに嵌合されると共に、各スタッドの下端が、コンクリート製の床スラブに固定された鋼製ランナーや、間仕切壁の開口部のまぐさ部分を構成するランナー等に嵌合される。このようにして、間仕切壁の下地が構築されるものである。
【００１０】
そして、本項に記載の鋼製ランナーの制振工法は、制振対象の鋼製ランナーの、２つの突出部間の隙間に、鋼製ランナーよりも熱膨張率が小さい材料で形成した制振部材を設置するものである。このとき、少なくとも、鋼製ランナーの接続部が天井スラブに対して固定される際の、鋼製ランナーの延在方向に間隔を空けた複数の固定箇所の各々の近傍において、制振部材を２つの突出部間の隙間に設置する。更に、制振部材を、少なくとも２つの突出部の双方に密着させる態様で、すなわち、２つの突出部の互いに向き合う内面の双方に密着させて設置する。ここで、鋼製ランナーから金属的な衝撃音が発生することについて言及する。この現象は、コンクリート製の天井スラブと鋼製ランナーとの熱膨張率の相違に起因し、特に鋼製ランナーの固定部近傍において、鋼製ランナーが僅かにズレてひずみエネルギーが開放される際に、鋼製ランナーの２つの突出部が振動することで発生する。
【００１１】
そこで、本項に記載の鋼製ランナーの制振工法は、上述したように制振部材を設置することで、鋼製ランナーの固定部近傍でひずみエネルギーが開放される際に、２つの突出部の振動を拘束させるものである。これにより、コンクリート製の天井スラブと鋼製ランナーとの双方に、外部の熱的影響が及ぼされたとしても、ひずみエネルギーが開放される際の、鋼製ランナーからの衝撃音の発生が抑制される。しかも、制振部材は鋼製ランナーよりも熱膨張率が小さい材料で形成されており、鋼製ランナーから制振部材に熱が伝搬しても、制振部材はほとんど膨張伸縮せずに２つの突出部に密着するため、衝撃音の発生が効果的に抑制されるものである。更に、上記のような制振部材の設置は、鉄筋コンクリート造建物の構造的要件の変更に該当するものではないため、鉄筋コンクリート造建物の構造的要件を変更することなく、衝撃音の発生を抑制するものとなる。
【００１２】
（２）上記（１）項において、前記制振部材を、前記鋼製ランナーの、前記複数のスタッドの上端が嵌合された位置を除く、前記２つの突出部間の全ての隙間に設置する鋼製ランナーの制振工法（請求項２）。
本項に記載の鋼製ランナーの制振工法は、制振部材の設置を、複数のスタッドの上端が嵌合された位置を除く、鋼製ランナーの２つの突出部間の全ての隙間に対して行うことで、鋼製ランナーの全長にわたって、２つの突出部間の隙間に、スタッドの上端或いは制振部材が配置されるものである。これにより、鋼製ランナーの全長にわたって、２つの突出部の振動が抑制されるため、衝撃音の発生がより一層抑制されるものである。
【００１３】
（３）上記（１）（２）項において、前記制振部材を、前記鋼製ランナーの、前記２つの突出部と前記接続部とで囲まれる空間を充填するようにして設置する鋼製ランナーの制振工法（請求項３）。
本項に記載の鋼製ランナーの制振工法は、鋼製ランナーの２つの突出部間の隙間に制振部材を設置する際に、２つの突出部と接続部とで囲まれる空間を充填するようにして、制振部材を設置するものである。すなわち、天井スラブを上側とする鋼製ランナーの延在方向と直交する断面視で、制振部材を、接続部の下面に接触する位置から突出部の下端近傍まで、２つの突出部の内面に密着させて設置する。これにより、鋼製ランナーの突出部の上端から下端までが、密着する制振部材によって拘束されるため、衝撃音の発生がより効果的に抑制されるものである。
【００１４】
（４）鉄筋コンクリート造建物において、間仕切壁の下地を構成する複数のスタッドの上端を受けるために、コンクリート製の天井スラブに固定される、延在方向と直交する断面がコの字状の鋼製ランナーの制振構造であって、前記鋼製ランナーは、前記コの字状の２本の脚部に相当する２つの突出部と、該２つの突出部の間を接続する接続部とを備え、前記２つの突出部の先端を下方にする態様で、前記接続部が、前記鋼製ランナーの延在方向に間隔を空けた複数の固定箇所において、前記天井スラブに対して固定されると共に、前記２つの突出部の間に、前記鋼製ランナーの延在方向に間隔を空けて、前記複数のスタッドの上端が嵌合されており、前記鋼製ランナーの、前記２つの突出部間の隙間の、少なくとも前記複数の固定箇所の各々の近傍に、少なくとも前記２つの突出部の双方に密着する態様で、前記鋼製ランナーよりも熱膨張率が小さい材料で形成された制振部材が設置されている鋼製ランナーの制振構造（請求項４）。
【００１５】
（５）上記（４）項において、前記制振部材が、前記鋼製ランナーの、前記複数のスタッドの上端が嵌合された位置を除く、前記２つの突出部間の全ての隙間に設置されている鋼製ランナーの制振構造（請求項５）。
（６）上記（４）（５）項において、前記制振部材が、前記鋼製ランナーの、前記２つの突出部と前記接続部とで囲まれる空間を充填するようにして設置されている鋼製ランナーの制振構造（請求項６）。
そして、（４）から（６）項に記載の鋼製ランナーの制振構造は、各々、上記（１）から（３）項の鋼製ランナーの制振工法に利用されることで、上記（１）から（３）項の鋼製ランナーの制振工法と同等の作用を奏するものである。
【発明の効果】
【００１６】
本発明は上記のような構成であるため、鉄筋コンクリート造建物の構造的要件を変更することなく、鋼製ランナーからの衝撃音の発生を抑制することが可能となる。
【図面の簡単な説明】
【００１７】
【図１】本発明の実施の形態に係る鋼製ランナーの制振工法が適用された、鉄筋コンクリート造建物の鋼製ランナー周辺の断面図である。
【図２】本発明の実施の形態に係る鋼製ランナーの制振工法が適用された鉄筋コンクリート造建物の、天井スラブと天井下地との間の空間を示したイメージ図である。
【図３】鋼製ランナーが振動したときの加速度振幅の時間変化を示すグラフであり、（ａ）は本発明の実施の形態に係る鋼製ランナーの制振工法が適用された鋼製ランナーのグラフ、（ｂ）は従来の鋼製ランナーのグラフである。
【図４】鋼製ランナーが振動したときの振動加速度の周波数特性を示すグラフであり、（ａ）は本発明の実施の形態に係る鋼製ランナーの制振工法が適用された鋼製ランナーのグラフ、（ｂ）は従来の鋼製ランナーのグラフである。
【発明を実施するための形態】
【００１８】
以下、本発明を実施するための形態を、添付図面に基づき説明する。ここで、従来技術と同一部分、若しくは相当する部分については、詳しい説明を省略することとし、又、図面の全体にわたって、同一部分若しくは対応する部分は、同一の符号で示している。
図１は、本発明の実施の形態に係る鋼製ランナーの制振工法により構築される、本発明の実施の形態に係る鋼製ランナーの制振構造１０の一例を、鋼製ランナーの周辺部材と共に示しており、図２は、鋼製ランナーの制振構造１０を備えた鉄筋コンクリート造建物の、天井スラブと天井下地との間の空間を示したイメージ図である。なお、図１及び図２は、鉄筋コンクリート造建物の最上階の居室をイメージしたものであるが、図１では、天井スラブ１２の上部に設置される断熱材、防水シート、シンダーコンクリート等の図示は省略している。
【００１９】
まず、図１及び図２を参照して、本発明の実施の形態に係る鋼製ランナーの制振工法及び制振構造１０の適用対象となる、鋼製ランナー１４の構造及びその周辺部材について説明する。鋼製ランナー１４は、延在方向と直交する断面（図１における断面）がコの字状を成しており、図１における上方から下方へ延びる２つの突出部１６と、これら２つの突出部１６間を接続する接続部１８とを備えている。そして、鋼製ランナー１４は、接続部１８の上面がコンクリート製の天井スラブ１２に接触した状態で、図示の例ではコンクリート打込みピン２０によって、天井スラブ１２に対して固定されている。このような固定箇所が、鋼製ランナー１４の延在方向に間隔を空けた複数箇所に設けられることによって、鋼製ランナー１４は、その延在方向の一方の端部から他方の端部まで、天井スラブ１２に対して固定されている。
【００２０】
更に、鋼製ランナー１４には、鉄筋コンクリート造建物の居室内に構築される間仕切壁の下地を構成する、複数のスタッド２２の上端が嵌合しており、各スタッド２２の上端は、通常、鋼製ランナー１４の接続部１８の下面１８ａから僅かに隙間を空けた位置で嵌合している。又、図２で確認できるように、複数のスタッド２２は、鋼製ランナー１４の延在方向に間隔を空けて配置されており、本実施例では木製のスタッド２２が使用されている。そして、上下方向に延在する各スタッド２２の所定高さの位置に、固定用ビス２８を介して、天井用ランナー２６が固定されている。本実施例において、天井用ランナー２６は、鋼製ランナー１４と同じく、延在方向と直交する断面がコの字状を成す鋼製のものであり、その内部には複数の野縁３０の一端が嵌合している。複数の野縁３０は、居室の天井の下地を構成するものであり、天井用ランナー２６の延在方向に間隔を空けて設置されている。野縁３０の各々は、天井用ランナー２６の内部の最深部２６ａから僅かに間隔を空けた位置で嵌合しており、本実施例では鋼製のものが使用されている。
【００２１】
上記のように設置された複数のスタッド２２には、天井用ランナー２６の固定位置の直ぐ下方に、壁仕上げ材としての石膏ボード３４が固定され、又、複数の野縁３０の図１における下方には、石膏ボード３４の上端近傍に一方の端部が密着して、天井仕上げ材としての石膏ボード３２が固定されている。このような石膏ボード３２、３４で囲まれた空間が、鉄筋コンクリート造建物の居室内の部屋として使用されるものである。なお、スタッド２２及び野縁３０の材質は、本実施例に限定されるものではなく、木製、鋼製、或いは他の材質であってもよい。又、鋼製ランナー１４は、２つの突出部１６の突出長さ（図１における上下方向の長さ）が等しくなくてもよく、図２の例のように、一方の突出部１６が他方の突出部１６よりも短くてもよい。更に、鋼製ランナー１４は、コンクリート打込みピン２０を用いた固定方法に限定されず、プラグ付きコンクリート用ビス等の、他の適切な部材を用いて固定されていてもよい。なお、天井スラブ１２と天井下地との間に十分な余裕がある場合は、天井下地が、天井スラブ１２に固定された吊ボルトを介して支持されるものであってもよい。
【００２２】
続いて、本発明の実施の形態に係る鋼製ランナーの制振構造１０について説明する。図１及び図２に示すように、鋼製ランナーの制振構造１０は、鋼製ランナー１４の２つの突出部１６間の隙間に、制振部材２４が設置されたものである。本実施例において、制振部材２４は、図１で確認できるように、鋼製ランナー１４の２つの突出部１６及び接続部１８で囲まれる空間を充填するようにして、２つの突出部１６の内面１６ａに密着すると共に、接続部１８の下面１８ａに接触して設置されている。更に、制振部材２４は、図２で確認できるように、鋼製ランナー１４の、複数のスタッド２２の上端が嵌合された位置を除く、２つの突出部１６間の全ての隙間に設置されている。すなわち、制振部材２４は、鋼製ランナー１４の延在方向に関して、複数のスタッド２２の隣接するスタッド２２の間や、鋼製ランナー１４の端部とスタッド２２との間に設置され、これらの設置範囲には、鋼製ランナー１４の複数の固定箇所の近傍が含まれている。
【００２３】
又、制振部材２４は、鋼製ランナー１４よりも熱膨張率が小さい材料で形成されたものであり、本実施例では木材が使用されているが、例えば、プラスチック、ゴム、発泡ウレタン等の他の材料で形成されていてもよい。更に、制振部材２４は、少なくとも鋼製ランナー１４の突出部１６に対して固定されており、図１の例では、接着剤又は粘着剤が制振部材２４と突出部１６の内面１６ａとの間に介在することで固定され、図２の例では、図１の例と同様の接着剤又は粘着剤に加えて、ビス３６によっても固定されている。しかしながら、制振部材２４の固定方法は、制振部材２４を形成している材料に適した、別の固定方法であってもよい。
【００２４】
ここで、本発明の実施の形態に係る鋼製ランナーの制振構造１０は、図１及び図２の例に限定されるものではない。例えば、制振部材２４は、鋼製ランナー１４の２つの突出部１６の内面１６ａに密着していれば、接続部１８の下面１８ａとの間に隙間があってもよく、突出部１６の下端よりも上方或いは下方にあってもよい。更に、制振部材２４は、鋼製ランナー１４の天井スラブ１２に対する複数の固定箇所（本実施例ではコンクリート打込みピン２０の位置）の近傍に設置されていれば、２つの突出部１６間の全ての隙間に設置されていなくてもよく、スタッド２２に接していなくてもよい。なお、スタッド２２の上端の真上に、鋼製ランナー１４の天井スラブ１２に対する固定箇所がある場合は、そのスタッド２２の近傍に制振部材２４が設置されていればよい。
【００２５】
次に、図３及び図４には、天井スラブ１２と鋼製ランナー１４との双方に熱が伝搬し、コンクリート製の天井スラブ１２と鋼製ランナー１４との熱膨張率の相違に起因して、鋼製ランナー１４から金属的な衝撃音が発生したときの、鋼製ランナー１４の振動の特性を示すグラフを図示している。これらのグラフの値は、鉄筋コンクリート造建物の最上階の居室において、実際に上記のような衝撃音が発生した際の実測値であり、その居室の天井スラブ１２に固定された鋼製ランナー１４に、加速度ピックアップを取り付けて測定したものである。図３及び図４において、（ａ）のグラフが、本発明の実施の形態に係る鋼製ランナーの制振工法が適用された鋼製ランナー１４のものであり、（ｂ）のグラフが、鋼製ランナーの制振工法が適用される前の従来の鋼製ランナー１４のものである。なお、図４のグラフの値は、単発暴露振動加速度レベル（ＬＥ：単発的に発生した振動のエネルギーと等しいエネルギーを持つ継続時間１秒の振動加速度レベル）での計測値である。
【００２６】
まず、図３を参照すると、本発明の鋼製ランナーの制振工法が適用された鋼製ランナー１４は、従来の鋼製ランナー１４と比較して、振動の継続時間が明らかに短くなっていることが確認できる。具体的には、従来のランナー１４が約３３６ｍｓであるのに対し、本発明が適用された鋼製ランナー１４は約１１４ｍｓであり、振動の継続時間がおよそ１／３に低減されている。更に、図４を参照すると、本発明の鋼製ランナーの制振工法が適用された鋼製ランナー１４は、従来の鋼製ランナー１４と比較して、単発暴露振動加速度レベルが低減されており、具体的には、オールパス（ＡＰ）値が９８．６ｄＢから９４．１ｄＢへと、４．５ｄＢ低減されている。又、従来の鋼製ランナー１４では、振動加速度レベルのピークが２つの周波数帯域に存在するのに対し、本発明が適用された鋼製ランナー１４では、振動加速度レベルのピークが１つの周波数帯域にのみ存在しており、振動発生形態も変化させていることがうかがえる。更に、従来の鋼製ランナー１４では、振動加速度レベルのピークが１／３オクターブバンドの５００Ｈｚ帯域にあるのに対し、本発明が適用された鋼製ランナー１４では、振動加速度レベルのピークが４００Ｈｚ帯域にあり、レベルの低減と共にピーク周波数も低下し、発生する衝撃音の不快さが低減されている。
【００２７】
さて、上記構成をなす本発明の実施の形態によれば、次のような作用効果を得ることが可能である。すなわち、本発明の実施の形態に係る鋼製ランナーの制振工法は、図１及び図２に示すように、鉄筋コンクリート造建物において、間仕切壁の下地を構成する複数のスタッド２２を支える上下一対のランナーのうち、複数のスタッド２２の上端を受けるようにコンクリート製の天井スラブ１２に固定される、上側の鋼製ランナー１４を対象とするものである。制振対象となる鋼製ランナー１４は、延在方向と直交する断面がコの字状を成し、このコの字状の２本の脚部に相当する２つの突出部１６と、これら２つの突出部１６の間を接続する接続部１８とを備えている。そして、２つの突出部１６の先端を下方にする態様で、接続部１８が天井スラブ１２に対して固定される。すなわち、突出部１６の先端を下方にしたときの、接続部１８の上面が天井スラブ１２の下面に接触するように固定される。
【００２８】
この際、接続部１８は、鋼製ランナー１４の延在方向に間隔を空けた複数の固定箇所において、図示の例では、コンクリート打込みピン２０が、接続部１８の下面１８ａ側から打込まれることによって固定される。更に、制振対象の鋼製ランナー１４は、２つの突出部１６の間に、鋼製ランナー１４の延在方向に間隔を空けて、複数のスタッド２２の上端が嵌合される。すなわち、複数のスタッド２２は、鋼製ランナー１４の延在方向に間隔を空けて設置され、各スタッド２２の上端が制振対象の鋼製ランナー１４に嵌合されると共に、各スタッド２２の下端が、コンクリート製の床スラブに固定された鋼製ランナーや、間仕切壁の開口部のまぐさ部分を構成するランナー等に嵌合される。このようにして、間仕切壁の下地が構築されるものである。
【００２９】
そして、本発明の実施の形態に係る鋼製ランナーの制振工法は、制振対象の鋼製ランナー１４の、２つの突出部１６間の隙間に、鋼製ランナー１４よりも熱膨張率が小さい材料（図示の例では木材）で形成した制振部材２４を設置するものである。このとき、少なくとも、鋼製ランナー１４の接続部１８が天井スラブ１２に対して固定される際の、鋼製ランナー１４の延在方向に間隔を空けた複数の固定箇所の各々の近傍において、制振部材２４を２つの突出部１６間の隙間に設置する。更に、制振部材２４を、少なくとも２つの突出部１６の双方に密着させる態様で、すなわち、２つの突出部１６の互いに向き合う内面１６ａの双方に密着させて設置する。ここで、鋼製ランナー１４から金属的な衝撃音が発生することについて言及する。この現象は、コンクリート製の天井スラブ１２と鋼製ランナー１４との熱膨張率の相違に起因し、特に鋼製ランナー１４の固定部近傍において、鋼製ランナー１４が僅かにズレてひずみエネルギーが開放される際に、鋼製ランナー１４の２つの突出部１６が振動することで発生する。
【００３０】
そこで、本発明の実施の形態に係る鋼製ランナーの制振工法は、上述したように制振部材２４を設置することで、鋼製ランナー１４の固定部近傍でひずみエネルギーが開放される際に、２つの突出部１６の振動を拘束させることができる。これにより、コンクリート製の天井スラブ１２と鋼製ランナー１４との双方に、外部の熱的影響が及ぼされたとしても、ひずみエネルギーが開放される際の、鋼製ランナー１４からの衝撃音の発生を抑制することが可能となる。しかも、制振部材２４は鋼製ランナー１４よりも熱膨張率が小さい材料で形成されており、鋼製ランナー１４から制振部材２４に熱が伝搬しても、制振部材２４はほとんど膨張伸縮せずに２つの突出部１６に密着するため、衝撃音の発生を効果的に抑制することができる。更に、上記のような制振部材２４の設置は、鉄筋コンクリート造建物の構造的要件の変更に該当するものではないため、鉄筋コンクリート造建物の構造的要件を変更することなく、衝撃音の発生を抑制することが可能となる。
【００３１】
更に、本発明の実施の形態に係る鋼製ランナーの制振工法は、図１で確認できるように、鋼製ランナー１４の２つの突出部１６間の隙間に制振部材２４を設置する際に、２つの突出部１６と接続部１８とで囲まれる空間を充填するようにして、制振部材２４を設置してもよいものである。すなわち、図１における断面視で、制振部材２４を、接続部１８の下面１８ａに接触する位置から突出部１６の下端近傍まで、２つの突出部１６の内面１６ａに密着させて設置する。これにより、鋼製ランナー１４の突出部１６の上端から下端までが、密着する制振部材２４によって拘束されるため、衝撃音の発生をより効果的に抑制することができる。
【００３２】
又、本発明の実施の形態に係る鋼製ランナーの制振工法は、図２で確認できるように、制振部材２４の設置を、複数のスタッド２２の上端が嵌合された位置を除く、鋼製ランナー１４の２つの突出部１６間の全ての隙間に対して行うことで、鋼製ランナー１４の全長にわたって、２つの突出部１６間の隙間に、スタッド２２の上端或いは制振部材２４が配置されるものである。これにより、鋼製ランナー１４の全長にわたって、２つの突出部１６の振動を抑制することができるため、衝撃音の発生をより一層抑制することが可能となる。
【００３３】
ここで、図３及び図４を参照すると、本発明の実施の形態に係る鋼製ランナーの制振工法が適用された鋼製ランナー１４は、従来の鋼製ランナー１４と比較して、振動の継続時間が短く、すなわち、早期に振動が収束しており、又、単発暴露振動加速度レベルが低減されていることが分かる。これらのことから、衝撃音の継続時間が短くなり、衝撃音のレベルが小さくなっていることが明らかであるため、本発明の実施の形態に係る鋼製ランナーの制振工法による、衝撃音発生の抑制効果が発揮されていることが確認できる。
【００３４】
しかも、本発明の実施の形態に係る鋼製ランナーの制振工法は、鋼製ランナー１４の内部に制振部材２４を設置するものであるため、既設又は新設を問わず、鉄筋コンクリート造建物の鋼製ランナー１４に対して、容易に適用可能なものである。
なお、本発明の実施の形態に係る鋼製ランナーの制振構造１０は、本発明の実施の形態に係る鋼製ランナーの制振工法に利用されることで、鋼製ランナーの制振工法と同等の上記のような作用効果を奏することができる。
【符号の説明】
【００３５】
１０：鋼製ランナーの制振構造、１２：天井スラブ、１４：鋼製ランナー、１６：突出部、１８：接続部、２２：スタッド、２４：制振部材
【図１】
2019190005.tif 000003
【図２】
2019190005.tif 000004
【図３】
2019190005.tif 000005
【図４】
2019190005.tif 000006